(57)【特許請求の範囲】
【請求項１】
顕微鏡の光学系により結像される光学像と反射型表示素子に表示される他画像とを、同一の接眼レンズを通して観察できるようにした実体顕微鏡において、
前記光学像を前記反射型表示素子の表示面上に結像するように、前記反射型表示素子を前記顕微鏡の光学系の光路内に構成したことを特徴とする実体顕微鏡。
【請求項２】
顕微鏡の光学系により結像される光学像と反射型表示素子に表示される他画像とを、同一の接眼レンズを通して観察できるようにした実体顕微鏡において、
前記光学像がその表示面上に結像するように前記顕微鏡の光学系の光路内に配置された前記反射型表示素子を含む反射型表示装置と、前記顕微鏡の光学系の光路内に前記他画像を導入するための光路合成手段とを備え、
前記光路合成手段は前記光学像を結像する光を狭帯域で減衰させる透過波長特性を有し、前記反射型表示装置は狭帯域の発光波長特性を有していて、前記光路合成手段が減衰させる光の波長帯域と前記反射型表示装置が発光する光の波長帯域とが実質上一致していることを特徴とする実体顕微鏡。
【請求項３】
前記光路合成手段は前記光学像を結像する光を三つの狭帯域で減衰する透過波長特性を有しており、前記反射型表示装置は三色の狹帯域の発光波長特性を有していて、前記光路合成手段が減衰する光の波長帯域と前記反射型表示装置が発する光の波長帯域とが実質上一致している請求項２に記載の実体顕微鏡。
【請求項４】
前記反射型表示装置は三色の光源と反射型表示素子との組み合わせから成っている請求項３に記載の実体顕微鏡。
【発明の詳細な説明】
【０００１】
【発明の属する技術分野】
本発明は、実体顕微鏡、特に手術時に併用される内視鏡画像，術前のＭＲＩ・ＣＴ画像及び神経モニター波形信号等の他画像を同一視野内に同時に表示するのに好適な手術用顕微鏡に関する。
【０００２】
【従来の技術】
従来より手術用顕微鏡は、脳神経外科，耳鼻咽喉科，眼科等の外科手術に用いられ、術部の拡大観察像を観察者に提供し、手術の効率向上等に重要な役割を果たしている。近年では、手術をより低侵襲に行うため、従来手術用顕微鏡観察下のみで行っていた手術に内視鏡観察が併用されるようになっており、手術用顕微鏡観察像と内視鏡観察像を同時に観察できることが望まれている。また、術前のＭＲＩ・ＣＴ画像等の画像も顕微鏡像と同時に観察したいと云う要望がある。
【０００３】
従来、これらの要求に応じるものとして例えば特開平１０−３３３０４７号公報に開示されたものが知られている。図２２はその全体構成を示している。この従来例では、顕微鏡の視野内に挿入されたプリズムＰにより伝送された内視鏡像と、顕微鏡の光学像とを顕微鏡の接眼レンズＩＰを通して同時に観察することが出来るようになっている。この場合、顕微鏡像の一部は欠落し、その欠落位置に内視鏡像が表示される。以下、この表示状態を「ピクチャーイン表示」と呼ぶことにする。図２３には、内視鏡像とＭＲＩ等の術前画像と神経モニター波形を上記プリズムＰを介して並べて表示した様子が示されている。また、図２４には表示装置Ｄに表示された内視鏡画像等の他画像を伝送光学系で伝送し、顕微鏡視野内に挿入されたミラーＭを介して顕微鏡像と同時に顕微鏡の接眼レンズＩＰを通して観察できるピクチャーイン表示と共に、表示装置Ｄに表示された神経モニター波形をハーフミラーＨＭを介して顕微鏡像に重像した様子が示されている。神経モニター波形は、顕微鏡像に重像しても顕微鏡の画像情報が殆ど失われないようにするため、ハーフミラーＨＭを用いて合成されている。以下、この重像表示を「オーバーレイ表示」と呼ぶことにする。
【０００４】
【発明が解決しようとする課題】
ところで、上記従来の表示方法では、高度化する手術へ十分な対応をすることができない場合があるほか、より使い易さの要求を満たし得ないと云う問題点がある。即ち、１）顕微鏡視野内でピント位置を術者に提示するための十字線表示が接眼レンズ内に設けられるが、術中にはこれが邪魔になる場合があるため、実際には表示したり消したりすることが出来るようにしたいし、また、２）ナビゲーション装置を併用した高度手術においては、腫瘍部等を顕微鏡像内にマーカーにより表示したいし、また、顕微鏡の観察方向の指示や併用する内視鏡の進入方向、処置具の進入方向等を、顕微鏡画像上で矢印等により術者に知らせることが出来るようにしたいし、また、複数の画像を表示した場合、相互の関連性をマーカーで表示できるようにしたいと云うような要求がある。これらの要求はオーバーレイ表示であれば応じることは可能であるが、上記従来のオーバーレイ表示法では、ハーフミラーを用いるため顕微鏡視野の明るさが減ってしまい、明るい顕微鏡像と明るいオーバーレイ表示の両立が実現できない。
【０００５】
また、３）顕微鏡手術においては、他画像の情報を得たい一方、手術のための顕微鏡視野を出来るだけ確保したいが、上記従来例（図２３）では同一のプリズムで三つの情報を取り入れているために、他画像の表示領域が確保できず十分な情報提示が出来ない。また、図２４のオーバーレイ表示のためのハーフミラーＨＭとピクチャーインのためのミラーＭを並設したものでは、同一場所でオーバーレイ表示とピクチャーイン表示の切り替えを行うことは出来ず、顕微鏡画像の視野を出来るだけ確保するという要求を満たすことは出来ない。また、４）神経モニター波形は、必要なときは顕微鏡視野内で注視したい場合もあるが、顕微鏡での手術の妨げにならないように顕微鏡視野の周辺部に表示した場合があり、また、５）各種の画像表示の説明などの文字情報は、顕微鏡視野内にオーバーレイ表示すると煩雑な表示となり、顕微鏡観察の妨げになる場合があるが、従来技術では顕微鏡視野外の周辺部に画像を表示できる簡便な方法はない。以下、顕微鏡視野外で接眼レンズ視野の周辺部に他画像を表示することを「サブピクチャー表示」と呼ぶことにする。６）従来例では、他画像の表示装置として透過型の液晶表示装置を用いているため、他画像は顕微鏡画像に比べて暗く、色再現性も良くない。これは、透過型の拡散白色照明を用いており、接眼レンズまでの伝達効率が悪く、また、白色の蛍光等の色再現領域が狹いため、手術患部の微妙な色の再現には不向きである。
【０００６】
本発明は、従来技術の有するこのような問題点に鑑みてなされたものであり、その目的とするところは、上記要求の総てを満たし得る実体顕微鏡特に手術用顕微鏡を提供しようとするものである。即ち、手術の進行に合わせて変化する表示要求を満たし、他画像の特性に合った表示方法で術者に見易く表示画像を提供することができ、手術に必要な顕微鏡画像の明るさを失わず必要な他画像情報を術者に提供できる手術用顕微鏡を提供することにある。
【０００８】
【課題を解決するための手段】
上記目的を達成するために、本発明による実体顕微鏡は、顕微鏡の光学系により結像される光学像と反射型表示素子に表示される他画像とを、同一の接眼レンズを通して観察できるようにした実体顕微鏡において、前記光学像を前記反射型表示素子の表示面上に結像するように、前記反射型表示素子を前記顕微鏡の光学系の光路内に構成したことを特徴としている。
【０００９】
また、上記目的を達成するために、本発明による実体顕微鏡は、顕微鏡の光学系により結像される光学像と反射型表示素子に表示される他画像とを、同一の接眼レンズを通して観察できるようにした実体顕微鏡において、前記光学像がその表示面上に結像するように前記顕微鏡の光学系の光路内に配置された前記反射型表示素子を含む反射型表示装置と、前記顕微鏡の光学系の光路内に前記他画像を導入するための光路合成手段とを備え、前記光路合成手段は前記光学像を結像する光を狭帯域で減衰させる透過波長特性を有し、前記反射型表示装置は狭帯域の発光波長特性を有していて、前記光路合成手段が減衰させる光の波長帯域と前記反射型表示装置が発光する光の波長帯域とが実質上一致していることを特徴としている。
また、前記光路合成手段は前記光学像を結像する光を三つの狭帯域で減衰する透過波長特性を有しており、前記反射型表示装置は三色の狹帯域の発光波長特性を有していて、前記光路合成手段が減衰する光の波長帯域と前記反射型表示装置が発光する光の波長帯域とが実質上一致していることが好ましい。
更に、前記反射型表示装置は三色の光源と反射型表示素子との組み合わせから成っていることが好ましい。
【００１０】
【発明の実施の形態】
以下、本発明の参考例及び実施例を図面を参照して説明する。各参考例及び実施例において、実質上同一の部材及び部分には同一符号が付され、それらの重複する説明は省略されている。
参考例１
図１は本発明の参考例に係る光学式手術用顕微鏡の光学系の基本構成を示す断面図、図２は図１に示した光学系の変形例を示す部分断面図、図３は本発明の参考例１の要部断面図であって図１の破線で囲まれた部分の左側面図に相当する図である。図１及び２において、１は対物レンズ、２はズームレンズ、３は結像レンズ、４は像の向きを正立化するためのイメージローテータ、５は光路合成手段、６は接眼レンズ、Ｓは標本、Ｉは標本Ｓの中間像（以下、顕微鏡像と云う）、図３において、７は光源、８は光拡散板、９は集光レンズ、１０は偏光ビームスプリッタ、１１は光源光を接眼レンズ６の瞳に効率良く伝達させることの出来る特性を有する反射型画像表示装置、１２は反射型画像表示装置１１からの反射光が偏光ビームスプリッタ１０及び光路合成手段５で反射したとき顕微鏡像Ｉの結像面と略一致した位置に結像するように焦点距離が調整されている結像レンズである。図２はズームレンズ２が左眼用及び右眼用に共通に使用されている点で図１とは異なる。光源７は、図４に示された如き帯域の狹い波長の三種類の光即ち青色光，緑色光及び赤色光を夫々発する三つの発光ダイオード等から成り、また、光路合成手段５は、顕微鏡像を結像する光に対しては、図５に示された如き透過特性、すなわち、光源７の発する三種類の光の波長と一致する帯域の光を減衰させる透過特性を有しており、一方で、光源７の発する三種類の光に対しては、透過率が減衰した反射特性を有する合成ミラーである。反射型画像表示装置１１は、光路合成手段５と略同じ帯域の狹い波長特性を有する。
【００１１】
本参考例は、上記のように構成されているから、図示しない公知の照明装置により照明された標本Ｓからの光は、対物レンズ１，ズームレンズ２，結像レンズ３，イメージローテータ４及び光路合成手段５を透過して正立化された顕微鏡像Ｉを形成し、この顕微鏡像Ｉは接眼レンズ６を介して拡大観察される。この場合、顕微鏡像は広い波長帯を有しているので、狹帯域で減衰しても光路合成手段５を透過する光量は殆ど減らない。一方、光源７から発せられた色光は光拡散板９により均一に混合され、集光レンズ９により集光され、偏光ビームスプリッタ１０を透過して、反射型画像表示装置１１に照射される。かくして反射型画像表示装置１１に照射された照明光はここで明るさ変調を受けた後鏡面反射し、偏光ビームスプリッタ１０により反射された後、結像レンズ１２を透過し、光路合成手段５により反射されて、顕微鏡像Ｉの像面と略一致した位置に結像される。かくして反射型画像表示装置１１上に表示された画像（他画像）は、接眼レンズ６を通して顕微鏡Ｉと共に拡大観察される（図６（ａ），（ｂ）参照）。
【００１２】
この場合、光路合成手段５は、上記の如き特性を有するから、帯域の狹い波長特性を有する反射型画像表示装置１１からの光を顕微鏡の光路に合成することが可能であり、顕微鏡の光路では、光路合成手段５により帯域の狹い波長領域の光は減衰するが、特定波長以外の光は接眼レンズ６へ達する。従って、顕微鏡像Ｉの光量は殆ど損失なく伝達されると共に、反射型画像表示装置１１からの光も効率良く接眼レンズ１１に伝達され得る。このため、観察者は明るい顕微鏡像と反射型画像表示装置に表示された明るい他画像との拡大像を同一視野内で見ることが出来る。
【００１３】
なお、光源７は青色光を発光する発光ダイオードと緑色光を発光する発光ダイオードと赤色光を発光する発光ダイオードとで構成されているから、反射型画像表示装置１１に表示される他画像がカラー画像の場合には、カラーのオーバーレイ画像を観察することが出来る。また、光源７を単色のもので構成すれば単色のオーバーレイ画像が得られることは云うまでもないが、何れにしても、単色性の高い光源７と反射型表示装置１１と光源波長に合わせた光路合成手段５との組み合わせにより、顕微鏡の明るさを損なうことなくオーバーレイ表示が可能となり、従来の透過型表示装置に比べて格段に明るい表示が可能である。
【００１４】
光路合成手段５の上記特性は、透過率０％、反射率１００％とすることが出来れば、反射型表示装置１１への照明光を最も効率良く結合できるが、実際は、顕微鏡の色再現性を崩さず且つ光量損失もより少なくすると云う観点から、透過率は２０％乃至８０％程度に設定するのが良い。また、波長幅は半値幅で５０ｎｍ以下、出来れば２０ｎｍ以下が好ましい。これにより、オーバーレイ表示を図５に示すようにすることが可能であるが、反射型画像表示装置１１の顕微鏡像面への投影サイズを顕微鏡像Ｉよりも大きくして置けば、図７（ａ）及び（ｂ）に示すように視野外表示及び視野内外表示を同様の構成で実現することが出来る。
【００１５】
参考例２
図８は本発明の参考例２の要部断面図である。図中、参考例１と実質上同一の部材には同一符号が付され、詳細な説明は省略されている。この参考例２は、オーバーレイ表示と切り替え可能にピクチャーイン表示を行い得るようにした点で参考例１とは異なる。１３はコリメータレンズ、１４はＤＭＤ（Digital Micromirror Device- 微小なマイクロミラー（数十ミクロン）をマトリックス状に配置して各マイクロミラーの傾斜角を制御することにより明るさを変調する素子）、１５は投影レンズ、１６はミラー、１７は顕微鏡像Ｉの結像面と略一致する位置に光路に対し挿脱自在に配置されていて、光路内に挿入されたとき他画像がピクチャーイン表示されるべき部分に対応する部分１７ａ（図９）のみが図１０（ａ）に示す如き透過率特性（光源７の波長に合わせた透過帯特性）を有し、その他の部分１７ｂは図１０（ｂ）に示した如き１００％の透過率を有するように構成された波長制限フィルターである。なお、光源７の発光特性と光路合成手段５の透過率特性は、何れも参考例１と同じである。
【００１６】
本参考例は上記のように構成されているから、波長制限フィルター１７を光路から引き出して光源７を点灯すれば、拡散板８により均一にされた光はコリメータレンズ１３により平行光束されてＤＭＤ１４に入射せしめられる。オーバーレイ表示されるべき画像に対応して制御されたＤＭＤ１４の微小ミラーから反射された光源光は、ミラー１６により反射されて光路合成手段５により顕微鏡光路に合成され、結像レンズ３とイメージローテータ４を介して所定位置に正立化された顕微鏡像Ｉと共に他画像が結像され、これらは接眼レンズ６により拡大されて図５に示した如きオーバーレイ表示がなされる。これに対して、波長制限フィルター１７を光路内へ挿入すると、該フィルター１７の一部１７ａを透過するのは光路合成手段５により合成された画像のうちＤＭＤ１４上に表示された画像のみで、顕微鏡像は遮断され、図１１に例示した如き他画像のピクチャーイン表示がなされ得る。
【００１７】
このように、本参考例によれば、顕微鏡の光学像を暗くすることのないオーバーレイ表示と顕微鏡像へのピクチャーイン表示が、視野内の同一位置で切り替えることの出来る実体顕微鏡を提供することが出来る。また、本参考例では、波長制限フィルター１７が実質上結像面に配置されるから、顕微鏡像の遮断領域の境界が鮮明に表示され、極めて見易いピクチャーイン表示を実現することが出来る。また、波長制限フィルター１７は顕微鏡光路の全域をカバーするように大きさが選定されているから、挿脱何れの状態においても視野内でのピント状態は一定となり、また、視野周縁部での見にくさも生じない。また、例えばターレット装置等を用いて表示面積の異なる複数の波長制限フィルターを連続的に光路に挿脱できるようにすれば、手術の進行に合った最適な他画像をピクチャーイン表示することが可能である（図１２（ａ），（ｂ），（ｃ）参照）。
【００１８】
また、本参考例において、反射型画像表示装置１１及びＤＭＤ１４の大きさと他画像の表示位置とを適当に選定して置けば、図１２に示すように顕微鏡像の視野外周辺に他画像をサブピクチャー表示することができ、顕微鏡の情報を失わずに付加情報を表示することの出来る手術用顕微鏡を提供することが出来る。また、このように構成すれば、顕微鏡視野内と視野外にまたがる矢印表示などが実現できる（図１３参照）。なお、反射型画像表示装置１１としては、反射型液晶表示装置があり、特に強誘電液晶は応答速度が速く画質が良いので好ましい。また、他画像が警告表示の場合には、発光素子そのものを表示素子として配列するようにしても良い。
【００１９】
実施例１
図１４は本発明の実施例１の要部断面図である。図中、既述の参考例と実質上同一の部材には同一符号が付され、詳細な説明は省略されている。この実施例は、反射型表示装置としてのＤＭＤ１４が結像レンズ３の結像面に配置されている点で、第２実施例とは異なる。１８はプリズム、１９はミラーであって、顕微鏡像は光路合成手段５，結像レンズ３，イメージロータータ４，プリズム１８及びミラー１９を介してＤＭＤ１４上に結像し、一方、光源７から出射した三色の光は拡散板８で均一化された後、投影レンズ１５，ミラー１６及び光路合成手段５を介して顕微鏡光路に合成され、ＤＭＤ１４に照射されるように構成されている。そして、ＤＭＤ１４の表面には光源７を構成する三種類の発光素子の発光タイミングに合わせて青色，緑色，赤色の画像が提示され、接眼レンズ６を介して顕微鏡像と共にそれらの拡大像が提供される。
【００２０】
本実施例によれば、ＤＭＤ１４の表示面上に顕微鏡像と他画像が結像されるから、顕微鏡像の表示範囲や明るさの制御や配光補正などを機械的駆動なしに高速で行うことができ、顕微鏡像を暗くすることなしに他画像のオーバーレイ表示が可能であるばかりか、サブピクチャー表示とオーバーレイ表示またはピクチャーイン表示を同時に行うことが出来て、術者に対し効率的に画像情報を提供することの可能な手術用顕微鏡を提供することが出来る。
【００２１】
図１５（ａ），（ｂ）は本実施例によるオーバーレイ表示の一例を説明するための図である。本実施例の場合、光源７を点灯せずにＤＭＤ１４を全面反射の状態（オン状態）にセットして観察すれば、図１５（ａ）に示す如く通常の顕微鏡像のみが視野内に現われる。この状態で、表示すべき他画像に相当する部分の微小ミラーのみを反射しない状態（オフ状態）に制御すれば、視野内には図１５（ｂ）に示す如き他画像が現われて、オーバーレイ表示が行われる。図１６（ａ），（ｂ）は本実施例によるオーバーレイ表示の他の例を説明するための図である。即ち、図１６（ａ）は図１５（ａ）と同じであるが、この状態で光源７を点灯すれば同時にＤＭＤ１４のオン・オフ状態を上記の場合とは反対になるように切り替えれば、視野内には図１６（ｂ）に示した如き他画像のみが現われる。従って、ＤＭＤ１４のオン・オフ状態の切り替えと光源７の点滅を同期させて高速で繰り返せば、目の残像効果により術者にオーバーレイ表示を提供することが出来る。
【００２２】
図１７（ａ），（ｂ），（ｃ）は本実施例によるピクチャーイン表示の例を説明するための図である。本実施例において、光源７を点灯せずにＤＭＤ１４のピクチャーイン表示すべき部分をオフ状態にしてそれ以外の部分をオン状態にすれば、観察視野内には図１７（ａ）に示した如き一部が欠けた顕微鏡像が現われる。これに対し、光源７を点灯してＤＭＤ１４のピクチャーイン表示すべき部分をオン状態にしてそれ以外の部分をオフ状態にすれば、、観察視野内には図１６（ｂ）に示した如く他画像のみがピクチャーイン表示される。従って、図１７（ａ）に表示された状態と図１７（ｂ）に表示された状態を高速で繰り返せば、目の残像効果により術者に図１７（ｃ）に示した如きピクチャーイン表示を提供できることになる。この説明で明らかなように、ピクチャーイン表示されるべき他画像の種類や位置や大きさはＤＭＤ１４を電気的に制御するだけで簡単に変更することができ、切り替えに機械的振動等を伴うことがないから極めて便利な手術用顕微鏡を提供することが出来る。
【００２３】
図１８（ａ），（ｂ）は本実施例によるサブピクチャーイン表示の例を説明するための図である。この場合は、ＤＭＤ１４の大きさを顕微鏡像を含むように設定し、他画像が顕微鏡像の視野の周辺に表示されるようにすれば良い（図１８（ａ）参照）。即ち、ＤＭＤ１４の表面領域は顕微鏡の視野マスクを兼ねることになるので、顕微鏡の結像サイズよりも大きい周辺部分に他画像を表示すれば良く、顕微鏡視野内と視野外他画像との関係付け（矢印表示）も簡単に行うことが出来る（図１８（ｂ）参照）。
【００２４】
図１９（ａ），（ｂ）は本実施例による上記の各種表示パターンと光源７の発光パターンを説明するための図である。今、光源７を構成する各発光ダイオードが図１９（ａ）に示す如く赤色，緑色，青色の順で発光してそのサイクルを繰り返すように設定され、このサイクルに同期して他画像Ｂ，Ｃ，Ｄが順次表示されるようにＤＭＤ１４の各部分を制御し、且つ他画像Ｂ，Ｃ，Ｄが表示される期間中は顕微鏡像に対応するＤＭＤ１４の部分はオフ状態に維持され、顕微鏡像が表示されるべきときのみオン状態となるようにして置けば、他画像Ｂは赤色に発光し、他画像Ｃは緑色に発光し、他画像Ｄは青色に発光し、最後に顕微鏡像Ａが表示されるサイクルが繰り返される（図１９（ｂ）参照）、従って、これらの再サイクルを高速で繰り返せば、極めて見易く且つ識別力に富む表示を術者に提供することが出来る。実際上、光源７としては発光ダイオードの他にレーザダイオード等が用いられるので、何れにしても発光時間は極めて短くても十分な明るさの残像が得られるので、顕微鏡像の表示時間の割合は十分に確保でき、明るい顕微鏡像を確保することが出来る。
【００２５】
実施例２
図２０は本発明の実施例２の要部断面図である。図中、既述の参考例及び実施例と実質上同一の部材には同一符号が付され、詳細な説明は省略されている。この実施例は、光源７からの光が光路合成手段５を介して直接顕微鏡光路内に合成され、この合成された光が偏光ビームスプリッタ１０を介して反射型画像表示装置１１に照射されて、反射型画像表示装置１１からの反射光が前記偏光ビームスプリッタ１０を介して接眼レンズ６へ導かれるようにした点で、参考例１とは異なる。本実施例によれば、顕微鏡の光量が半分に減るが、オーバーレイ表示，ピクチャーイン表示，サブピクチャー表示を機械的動作を伴わずに切り替えることが出来る。図２１は、顕微鏡の瞳と視野内表示の瞳の様子を示しているが、このように、視野内表示の瞳を顕微鏡の瞳よりも大きくすることで、より明るい視野内表示を観察することが出来ると共に、装置の組み立て誤差があっても顕微鏡像が見えている時は視野外表示が必ず見えるようにすることが出来る。
【００２６】
以上各種参考例及び実施例では、ＤＭＤや反射型液晶等の反射型表示装置を制御することにより、顕微鏡像全体の明るさや視野内の明るさ分布の変更などの制御を同時且つ簡単に行うことが出来る。なお、以上の説明では、実体顕微鏡特に手術用顕微鏡を前提としたが、これは単なる例示に過ぎず、従って本発明は双眼鏡やその他の顕微鏡や単眼の眼視観察光学系にも適用可能であることは云うまでもない。
【００３４】
【発明の効果】
上述の如く本発明によれば、視野内に顕微鏡像と共に適宜の他画像をその特性に合わせて見易く表示させることの出来る実体顕微鏡を提供することができ、特に手術の進行に合わせて変化する表示ニーズを満たし得る高度な手術に適する手術用顕微鏡等を提供することが出来る。
【図面の簡単な説明】
【図１】  本発明の参考例に係る光学式手術用顕微鏡の光学系の基本構成を示す断面図である。
【図２】  図１に示した光学系の変形例を示す部分断面図である。
【図３】  本発明の参考例１の要部断面図である。
【図４】  参考例１に用いられる光源の発光特性を示す線図である。
【図５】  参考例１に用いられる光路合成手段の顕微鏡像を結像する光に対する透過特性を示す線図である。
【図６】  （ａ）及び（ｂ）は顕微鏡像と他画像の異なる表示例を示す説明図である。
【図７】  （ａ）及び（ｂ）は顕微鏡像と他画像の更に異なる表示例を示す説明図である。
【図８】  本発明の参考例２の要部断面図である。
【図９】  参考例２に用いられる波長制限フィルターの正面図である。
【図１０】  波長制限フィルターの透過率特性を示す線図であり、（ａ）は他画像表示部分の透過率特性、（ｂ）は顕微鏡像部分の透過率特性である。
【図１１】  参考例２による顕微鏡像と他画像の表示の一例を示す説明図である。
【図１２】  参考例２による他画像の互いに異なる表示例を示す説明図である。
【図１３】  参考例２による顕微鏡像と他画像の更に異なる表示例を示す説明図である。
【図１４】  本発明の実施例１の要部断面図である。
【図１５】  実施例１による顕微鏡像と他画像の表示状態の変化の一例を示す説明図である。
【図１６】  実施例１による顕微鏡像と他画像の表示状態の変化の他の例を示す説明図である。
【図１７】  実施例１による顕微鏡像と他画像の表示状態の変化の更に他の例を示す説明図である。
【図１８】  実施例１による顕微鏡像と他画像の表示状態の変化の更に他の例を示す説明図である。
【図１９】  実施例１における光源の点灯サイクルと反射型画像表示装置による他画像表示サイクルとの関係を示す説明図である。
【図２０】  本発明の実施例２の要部断面図である。
【図２１】  参考例４による顕微鏡の瞳と視野内表示の瞳との関係を示す説明図である。
【図２２】  従来の光学式手術用顕微鏡における双眼鏡筒部を示す図であり、（ａ）は外観斜視図、（ｂ）は断面図である。
【図２３】  従来の手術用顕微鏡システムによる顕微鏡像と各種他画像の表示の一例を示す説明図である。
【図２４】  従来の手術用顕微鏡システムによる顕微鏡像と各種他画像の表示の他の例を示す説明図である。
【符号の説明】
１            対物レンズ
２            ズームレンズ
３，１２      結像レンズ
４            イメージロータータ
５            光路合成手段
６            接眼レンズ
７            光源
８            光拡散板
９            集光レンズ
１０          偏光ビームスプリッタ
１１          反射型画像表示装置
１３          コリメータレンズ
１４          ＤＭＤ
１５          投影レンズ
１６，１９    ミラー
１７          波長制限フィルター
１８          プリズム
【図１】
0004426667.tif 000002
【図２】
0004426667.tif 000003
【図３】
0004426667.tif 000004
【図４】
0004426667.tif 000005
【図５】
0004426667.tif 000006
【図６】
0004426667.tif 000007
【図７】
0004426667.tif 000008
【図８】
0004426667.tif 000009
【図９】
0004426667.tif 000010
【図１０】
0004426667.tif 000011
【図１１】
0004426667.tif 000012
【図１２】
0004426667.tif 000013
【図１３】
0004426667.tif 000014
【図１４】
0004426667.tif 000015
【図１５】
0004426667.tif 000016
【図１６】
0004426667.tif 000017
【図１７】
0004426667.tif 000018
【図１８】
0004426667.tif 000019
【図１９】
0004426667.tif 000020
【図２０】
0004426667.tif 000021
【図２１】
0004426667.tif 000022
【図２２】
0004426667.tif 000023
【図２３】
0004426667.tif 000024
【図２４】
0004426667.tif 000025